(57)【要約】【課題】ハレーションや観察像の非対称な歪みを生じることなく、先端部の径を極細化可能な照明光照射構造及びそれを用いた内視鏡を提供する。【解決手段】先端部が細長状に形成された鏡筒２０ａ内部に対物光学系１を備えた観察光学装置において観察対象物に照明光を照射するための照明光照射構造であって、対物光学系１の入射瞳Ｅ１位置近傍に配置された波長変換素子７と、波長変換素子７で波長変換されるための光を発する光源８と、光源８から発した光を対物光学系１を経て波長変換素子７に照射させる照射手段９を有する。【選択図】図１
2008289863.tif 000002
【特許請求の範囲】
【請求項１】
先端部が細長状に形成された鏡筒内部に対物光学系を備えた観察光学装置において観察対象物に照明光を照射するための照明光照射構造であって、
前記対物光学系の入射瞳位置近傍に配置された波長変換素子と、
前記波長変換素子で波長変換されるための光を発する光源と、
前記光源から発した光を前記対物光学系を経て前記波長変換素子に照射させる照射手段を有することを特徴とする照明光照射構造。
【請求項２】
先端部が細長状に形成された鏡筒内部に対物光学系を備えた観察光学装置において観察対象物に照明光を照射するための照明光照射構造であって、
前記対物光学系の入射瞳位置近傍に配置された蛍光体と、
前記蛍光体を励起するための光を発する光源と、
前記光源から発した光を前記対物光学系を経て前記蛍光体に照射させる照射手段を有することを特徴とする照明光照射構造。
【請求項３】
前記照射手段が、前記対物光学系の入射瞳と共役な瞳位置近傍に斜めに配置され、該斜めに配置された状態において前記対物光学系の入射瞳と共役な瞳の径と略同じ大きさの径を持つ開口部と該開口部の外周に前記光源から発した光を前記対物光学系側へ向けて反射する反射面とを有する反射鏡で構成されていることを特徴とする請求項２に記載の照明光照射構造。
【請求項４】
前記照射手段が、前記光源から発した光を前記対物光学系側へ向けて反射するように前記対物光学系の入射瞳と共役な瞳位置近傍に斜めに配置されたハーフミラーと、前記光源から発する光を遮断する特性を有し、前記ハーフミラーの像側に配置されたバリアフィルタとで構成されていることを特徴とする請求項２に記載の照明光照射構造。
【請求項５】
前記照射手段が、前記光源から発する光を反射し、かつその他の波長の光を透過する特性を有し、前記光源からの光を前記対物光学系側へ向けて反射するように前記対物光学系の入射瞳と共役な瞳位置近傍に斜めに配置された波長選択部材で構成されていることを特徴とする請求項２に記載の照明光照射構造。
【請求項６】
前記蛍光体の像側に、励起光を透過させ、かつ前記蛍光体から発した蛍光を遮断する特性を有する蛍光カットフィルタを設けたことを特徴とする請求項２に記載の照明光照射構造。
【請求項７】
前記蛍光体の内周面に、遮光部材を備えたことを特徴とする請求項２に記載の照明光照射構造。
【請求項８】
前記蛍光体の内周面及び前記蛍光カットフィルタの内周面に、遮光部材を備えたことを特徴とする請求項６に記載の照明光照射構造。
【請求項９】
前記蛍光体の内周面及び前記蛍光カットフィルタの開口部近傍に、遮光部材を備えたことを特徴とする請求項６に記載の照明光照射構造。
【請求項１０】
前記蛍光体の開口部に、円柱状の透明部材を備えたことを特徴とする請求項２に記載の照明光照射構造。
【請求項１１】
前記蛍光体の開口部及び前記蛍光カットフィルタの開口部に、円柱状の透明部材を備えたことを特徴とする請求項６に記載の照明光照射構造。
【請求項１２】
前記対物光学系の像側にリレーレンズ、イメージファイバ、セルフォックレンズのいずれかからなる像伝送光学系を有する請求項１又は２に記載の照明光照射構造。
【請求項１３】
前記像伝送光学系がセルフォックレンズで構成され、
前記照射手段が、前記セルフォックレンズの光軸に対し傾斜した光軸を有する照明光学系からなり、前記光源から発した励起光が前記セルフォックレンズの入射面に斜めに入射することを特徴とする請求項１２に記載の照明光照射構造。
【請求項１４】
前記照射手段が、色ズレ作用により励起光が該励起光以外の波長の光とは異なる光路を通って前記蛍光体に照射されるように、前記蛍光体から前記光源までの間の光路上に備えられた色収差発生手段と、前記対物光学系の光軸の周囲に位置するように配置された前記光源とで構成されていることを特徴とする請求項１又は２に記載の照明光照射構造。
【請求項１５】
前記色収差発生手段が、接合レンズ又は回折格子からなることを特徴とする請求項１４に記載の照明光照射構造。
【請求項１６】
前記対物光学系の入射瞳位置近傍に、内径が前記蛍光体の内径よりも小さく、かつ外径が前記蛍光体の外径と略同じ大きさに形成され、励起光を透過させ、かつ前記蛍光体から発した蛍光を遮断する特性を有する蛍光カットフィルタと、
前記蛍光体と前記蛍光カットフィルタとの間に、前記蛍光体と略同じ大きさの内径及び外径を持つ円環状に形成された透明部材を設け、さらに、
前記透明部材の内部に、物体側から順に凹レンズと凸レンズを備えたことを特徴とする請求項２に記載の照明光照射構造。
【請求項１７】
前記観察光学装置が、内視鏡である請求項１又は２に記載の照明光照射構造。
【請求項１８】
前記光源が、ＬＤ又はＬＥＤであることを特徴とする請求項１に記載の照明光照射構造。
【請求項１９】
前記光源が、ＬＤ又はＬＥＤであることを特徴とする請求項１又は２に記載の照明光照射構造。
【請求項２０】
請求項１又は２に記載の照明光照明構造を備えた内視鏡。
【請求項２１】
先端部が細長状に形成された鏡筒内部に対物光学系を備えた観察光学装置において観察対象物に照明光を照射するための照明光照射構造であって、
前記対物光学系の入射瞳位置近傍に配置され、内径が該対物光学系の入射瞳の径以上の大きさで、かつ外径が該対物光学系において最も径の大きいレンズと略同じ大きさの円環状の蛍光体と、
前記蛍光体を励起するための光を発する光源と、
前記光源から発した光を前記対物光学系を経て前記蛍光体に照射させる照射手段を有することを特徴とする照明光照射構造。
【請求項２２】
前記照射手段が、前記対物光学系の入射瞳と共役な瞳位置近傍に斜めに配置され、該斜めに配置された状態において前記対物光学系の入射瞳と共役な瞳の径と略同じ大きさの径を持つ開口部と該開口部の外周に前記光源から発した光を前記対物光学系側へ向けて反射する反射面とを有する反射鏡で構成されていることを特徴とする請求項２１に記載の照明光照射構造。
【請求項２３】
前記対物光学系の入射瞳と共役な瞳位置近傍に斜めに配置され、該斜めに配置された状態において前記対物光学系の入射瞳と共役な瞳の径と略同じ大きさの径を持つ反射面を有する反射鏡を備え、
前記照射手段が、前記光源から発した光のうち前記反射鏡の外周を通る光が前記対物光学系を経て前記蛍光体に照射するように構成されていることを特徴とする請求項２１に記載の照明光照射構造。
【請求項２４】
前記照射手段が、前記光源を前記対物光学系の光軸に対して環状に複数個配置し、該複数個の光源から発した夫々の光が、前記対物光学系の入射瞳と共役な瞳の外周を通るように構成されていることを特徴とする請求項２１に記載の照明光照射構造。
【請求項２５】
前記照射手段が、前記光源から発する光を反射し、かつその他の波長の光を透過する特性を有し、前記光源からの光を前記対物光学系側へ向けて反射するように前記対物光学系の入射瞳と共役な瞳位置近傍に斜めに配置された波長選択部材で構成されていることを特徴とする請求項２１に記載の照明光照射構造。
【請求項２６】
前記蛍光体の像側に、励起光を透過させ、かつ前記蛍光体から発した蛍光を遮断する特性を有する蛍光カットフィルタを設けたことを特徴とする請求項２１に記載の照明光照射構造。
【請求項２７】
前記蛍光体の内周面に、遮光部材を備えたことを特徴とする請求項２１に記載の照明光照射構造。
【請求項２８】
前記蛍光体の内周面及び前記蛍光カットフィルタの内周面に、遮光部材を備えたことを特徴とする請求項２６に記載の照明光照射構造。
【請求項２９】
前記蛍光体の内周面及び前記蛍光カットフィルタの開口部近傍に、遮光部材を備えたことを特徴とする請求項２６に記載の照明光照射構造。
【請求項３０】
前記蛍光体の開口部に、円柱状の透明部材を備えたことを特徴とする請求項２１に記載の照明光照射構造。
【請求項３１】
前記蛍光体の開口部及び前記蛍光カットフィルタの開口部に、円柱状の透明部材を備えたことを特徴とする請求項２６に記載の照明光照射構造。
【請求項３２】
前記対物光学系の像側にリレーレンズ、イメージファイバ、セルフォックレンズのいずれかからなる像伝送光学系を有する請求項２１に記載の照明光照射構造。
【請求項３３】
前記像伝送光学系がセルフォックレンズで構成され、
前記照射手段が、前記セルフォックレンズの光軸に対し傾斜した光軸を有する照明光学系からなり、前記光源から発した励起光が前記セルフォックレンズの入射面に斜めに入射することを特徴とする請求項３２に記載の照明光照射構造。
【請求項３４】
前記照射手段が、色ズレ作用により励起光が該励起光以外の波長の光とは異なる光路を通って前記蛍光体に照射されるように、前記蛍光体から前記光源までの間の光路上に備えられた色収差発生手段と、前記対物光学系の光軸の周囲に位置するように配置された前記光源とで構成されていることを特徴とする請求項２１に記載の照明光照射構造。
【請求項３５】
前記色収差発生手段が、接合レンズ又は回折格子からなることを特徴とする請求項３４に記載の照明光照射構造。
【請求項３６】
前記対物光学系の入射瞳位置近傍に、内径が前記蛍光体の内径よりも小さく、かつ外径が前記蛍光体の外径と略同じ大きさに形成され、励起光を透過させ、かつ前記蛍光体から発した蛍光を遮断する特性を有する蛍光カットフィルタと、
前記蛍光体と前記蛍光カットフィルタとの間に、前記蛍光体と略同じ大きさの内径及び外径を持つ円環状に形成された透明部材を設け、さらに、
前記透明部材の内部に、物体側から順に凹レンズと凸レンズを備えたことを特徴とする請求項２１に記載の照明光照射構造。
【請求項３７】
前記観察光学装置が、内視鏡である請求項２１に記載の照明光照射構造。
【請求項３８】
前記光源が、ＬＤ又はＬＥＤであることを特徴とする請求項２１に記載の照明光照射構造。
【請求項３９】
請求項２１に記載の照明光照明構造を備えた内視鏡。
【請求項４０】
先端部が細長状に形成された鏡筒内部に対物光学系を備えた観察光学装置において観察対象物に照明光を照射するための照明光照射構造であって、
光源と、
前記光源から発した光を前記対物光学系を経て、該対物光学系の入射瞳位置近傍において、内径が該対物光学系の入射瞳の径以上の大きさで、かつ外径が該対物光学系において最も径の大きいレンズと略同じ大きさの円環状の領域に照射させる照射手段を有することを特徴とする照明光照射構造。
【請求項４１】
先端部が細長状に形成された鏡筒内部に対物光学系を備えた観察光学装置において観察対象物に照明光を照射するための照明光照射構造であって、
前記対物光学系の入射瞳位置近傍に配置され、内径が該対物光学系の入射瞳の径以上の大きさで、かつ外径が該対物光学系において最も径の大きいレンズと略同じ大きさの円環状の散乱体と、
光源と、
前記光源から発した光を前記対物光学系を経て前記散乱体に照射させる照射手段を有することを特徴とする照明光照射構造。
【請求項４２】
前記照射手段が、前記対物光学系の入射瞳と共役な瞳位置近傍に斜めに配置され、該斜めに配置された状態において前記対物光学系の入射瞳と共役な瞳の径と略同じ大きさの径を持つ開口部と該開口部の外周に前記光源から発した光を前記対物光学系側へ向けて反射する反射面とを有する反射鏡で構成されていることを特徴とする請求項４０又は４１に記載の照明光照射構造。
【請求項４３】
前記対物光学系の入射瞳と共役な瞳位置近傍に斜めに配置され、該斜めに配置された状態において前記対物光学系の入射瞳と共役な瞳の径と略同じ大きさの径を持つ反射面を有する反射鏡を備え、
前記照射手段が、前記光源から発した光のうち前記反射鏡の外周を通る光が前記対物光学系を経て前記円環状の領域に照射するように構成されていることを特徴とする請求項４０に記載の照明光照射構造。
【請求項４４】
前記照射手段が、前記対物光学系の入射瞳と共役な瞳位置近傍に斜めに配置され、該斜めに配置された状態において前記対物光学系の入射瞳と共役な瞳の径と略同じ大きさの径を持つ反射面を有する反射鏡を備え、前記光源から発した光のうち前記反射鏡の外周を通る光が前記対物光学系を経て前記散乱体に照射するように構成されていることを特徴とする請求項４１に記載の照明光照射構造。
【請求項４５】
前記照射手段が、前記光源を前記対物光学系の光軸に対して環状に複数個配置し、該複数個の光源から発した夫々の光が、前記対物光学系の入射瞳と共役な瞳の外周を通るように構成されていることを特徴とする請求項４０又は４１に記載の照明光照射構造。
【請求項４６】
前記対物光学系の像側にリレーレンズ、イメージファイバ、セルフォックレンズのいずれかからなる像伝送光学系を有する請求項４０又は４１に記載の照明光照射構造。
【請求項４７】
前記像伝送光学系がセルフォックレンズで構成され、
前記照射手段が、前記セルフォックレンズの光軸に対し傾斜した光軸を有する照明光学系からなり、前記光源から発した光が前記セルフォックレンズの入射面に斜めに入射することを特徴とする請求項４６に記載の照明光照射構造。
【請求項４８】
前記観察光学装置が、内視鏡である請求項４０又は４１に記載の照明光照射構造。
【請求項４９】
前記光源が、ＬＤ又はＬＥＤであることを特徴とする請求項４０又は４１に記載の照明光照射構造。
【請求項５０】
請求項４０又は４１に記載の照明光照明構造を備えた内視鏡。
【請求項５１】
前記像伝送光学系がセルフォックレンズで構成され、
前記セルフォックレンズが、その外周部に低屈折率のクラッド層を備えたことを特徴とする請求項１２、３２、４６のいずれかに記載の照明光照射構造。
【発明の詳細な説明】
【技術分野】
【０００１】
本発明は、先端部が細長状に形成された鏡筒内部に対物光学系を備えた観察光学装置において観察対象物に照明光を照射するための照明光照射構造及びそれを備えた内視鏡に関するものである。
【背景技術】
【０００２】
従来、医療の分野における患者の体内の治療・診断や、工業の分野における製品に設けられている孔内部の検査等、外部から観察することが難しい部位の観察に内視鏡が用いられている。
【０００３】
一般に、内視鏡は、細径筒状の先端挿入部の内部に、対物光学系と、リレーレンズ（硬性鏡の場合）やイメージガイドファイバ（軟性鏡の場合）等の像伝送光学系を有している。そして、観察対象からこれらの光学系を経た光を、接眼光学系や撮像光学系を介して観察像として観察するように構成されている。また、ビデオ内視鏡においては、先端に対物光学系とＣＣＤ等の撮像素子を内蔵して構成されている。
【０００４】
また、内視鏡においては、対物光学系で観察する観察対象を照明するための照明手段が、対物光学系とは別の光路上に配置されている。
このような内視鏡における照明手段の構成は、例えば、次の特許文献１、２において記載されている。
【０００５】
【特許文献１】特開平１０−２１６０８５号公報
【特許文献２】特開平４−２４４１３０号公報
【０００６】
特許文献１に記載の内視鏡における照明手段は、例えば図２５に示すように、内視鏡の先端５０において、観察系５１の周囲又は側方に複数のＬＥＤ５２ａ，５２ｂを設け、複数のＬＥＤ５２ａ，５２ｂから観察対象に照明光を照射するように構成されている。
【０００７】
また、特許文献２に記載の内視鏡における照明手段は、例えば図２６に示すように、内視鏡の先端６０において、観察系６１の周囲にライトガイド６２を円環状に設けて構成されている。
【発明の開示】
【発明が解決しようとする課題】
【０００８】
ところで、近年、内視鏡等の細径筒状の先端挿入部を備える光学装置においては、上記特許文献１、２に記載されている内視鏡先端部の径よりもさらに径を極細化することが要求されている。
【０００９】
しかし、特許文献１に記載されているような観察系の周囲又は側方に複数のＬＥＤ等の照明光源を配置する構成では、照明光源の配置スペースが大きくとられてしまい、上述のように内視鏡先端部の径を極細化することができない。
【００１０】
また、ライドガイドは複数のファイバで構成されている。しかるに、内視鏡先端部の径を極細化するためには、ライトガイドを構成するファイバの数を減らすことが望まれる。しかし、特許文献２に記載のように観察系の周囲に円環状のライトガイドを設けたのでは、多数のファイバを用いることとなり、半径方向に径が大きくなるので内視鏡先端部の径を極細化することができない。
【００１１】
このため、ライトガイドを用いて先端部を細径化した内視鏡を実現するためには、ライトガイドを構成するファイバの数を減らさざるを得ず、その結果、ファイバが細径筒状の先端挿入部内で観察系の側方に偏った配置となりやすい。
【００１２】
しかし、細径筒状の先端挿入部内で照明系が観察系の側方に偏った配置になると、一方向のみが明るく照明されるために観察系でハレーションを生じ易い。
また、観察系も内視鏡の先端挿入部内において偏った配置となることにより、観察像に非対称な歪みが生じ易い。
【００１３】
本発明は、上記従来の課題に鑑みてなされたものであり、ハレーションや観察像の非対称な歪みを生じることなく、先端部の径を極細化可能な照明光照射構造及びそれを用いた内視鏡を提供することを目的とする。
【課題を解決するための手段】
【００１４】
上記目的を達成するため、本発明による照明光照射構造は、先端部が細長状に形成された鏡筒内部に対物光学系を備えた観察光学装置において観察対象物に照明光を照射するための照明光照射構造であって、前記対物光学系の入射瞳位置近傍に配置された波長変換素子と、前記波長変換素子で波長変換されるための光を発する光源と、前記光源から発した光を前記対物光学系を経て前記波長変換素子に照射させる照射手段を有することを特徴としている。
【００１５】
また、本発明による照明光照射構造は、先端部が細長状に形成された鏡筒内部に対物光学系を備えた観察光学装置において観察対象物に照明光を照射するための照明光照射構造であって、前記対物光学系の入射瞳位置近傍に配置された蛍光体と、前記蛍光体を励起するための光を発する光源と、前記光源から発した光を前記対物光学系を経て前記蛍光体に照射させる照射手段を有することを特徴としている。
【００１６】
また、本発明による照明光照射構造は、先端部が細長状に形成された鏡筒内部に対物光学系を備えた観察光学装置において観察対象物に照明光を照射するための照明光照射構造であって、前記対物光学系の入射瞳位置近傍に配置され、内径が該対物光学系の入射瞳の径以上の大きさで、かつ外径が該対物光学系において最も径の大きいレンズと略同じ大きさの円環状の蛍光体と、前記蛍光体を励起するための光を発する光源と、前記光源から発した光を前記対物光学系を経て前記蛍光体に照射させる照射手段を有することを特徴としている。
【００１７】
また、本発明による照明光照射構造は、先端部が細長状に形成された鏡筒内部に対物光学系を備えた観察光学装置において観察対象物に照明光を照射するための照明光照射構造であって、光源と、前記光源から発した光を前記対物光学系を経て、該対物光学系の入射瞳位置近傍において、内径が該対物光学系の入射瞳の径以上の大きさで、かつ外径が該対物光学系において最も径の大きいレンズと略同じ大きさの円環状の領域に照射させる照射手段を有することを特徴としている。
【００１８】
また、本発明による照明光照射構造は、先端部が細長状に形成された鏡筒内部に対物光学系を備えた観察光学装置において観察対象物に照明光を照射するための照明光照射構造であって、前記対物光学系の入射瞳位置近傍に配置され、内径が該対物光学系の入射瞳の径以上の大きさで、かつ外径が該対物光学系において最も径の大きいレンズと略同じ大きさの円環状の散乱体と、光源と、前記光源から発した光を前記対物光学系を経て前記散乱体に照射させる照射手段を有することを特徴としている。
【００１９】
また、本発明の照明光照射構造においては、前記照射手段が、前記対物光学系の入射瞳と共役な瞳位置近傍に斜めに配置され、該斜めに配置された状態において前記対物光学系の入射瞳と共役な瞳の径と略同じ大きさの径を持つ開口部と該開口部の外周に前記光源から発した光を前記対物光学系側へ向けて反射する反射面とを有する反射鏡で構成されているのが好ましい。
【００２０】
また、本発明の照明光照射構造においては、前記照射手段が、前記対物光学系の入射瞳と共役な瞳位置近傍に斜めに配置され、該斜めに配置された状態において前記対物光学系の入射瞳と共役な瞳の径と略同じ大きさの径を持つ反射面を有する反射鏡を備え、前記光源から発した光のうち前記反射鏡の外周を通る光が前記対物光学系を経て前記蛍光体に照射するように構成されているのが好ましい。
【００２１】
また、本発明の照明光照射構造においては、前記照射手段が、前記対物光学系の入射瞳と共役な瞳位置近傍に斜めに配置され、該斜めに配置された状態において前記対物光学系の入射瞳と共役な瞳の径と略同じ大きさの径を持つ反射面を有する反射鏡を備え、前記光源から発した光のうち前記反射鏡の外周を通る光が前記対物光学系を経て前記円環状の領域に照射するように構成されているのが好ましい。
【００２２】
また、本発明の照明光照射構造においては、前記対物光学系の入射瞳と共役な瞳位置近傍に斜めに配置され、該斜めに配置された状態において前記対物光学系の入射瞳と共役な瞳の径と略同じ大きさの径を持つ反射面を有する反射鏡を備え、前記照射手段が、前記光源から発した光のうち前記反射鏡の外周を通る光が前記対物光学系を経て前記散乱体に照射するように構成されているのが好ましい。
【００２３】
また、本発明の照明光照射構造においては、前記照射手段が、前記光源を前記対物光学系の光軸に対して環状に複数個配置し、該複数個の光源から発した夫々の光が、前記対物光学系の入射瞳と共役な瞳の外周を通るように構成されているのが好ましい。
【００２４】
また、本発明の照明光照射構造においては、前記照射手段が、前記光源から発した光を前記対物光学系側へ向けて反射するように前記対物光学系の入射瞳と共役な瞳位置近傍に斜めに配置されたハーフミラーと、前記光源から発する光を遮断する特性を有し、前記ハーフミラーの像側に配置されたバリアフィルタとで構成されているのが好ましい。
【００２５】
また、本発明の照明光照射構造においては、前記照射手段が、前記光源から発する光を反射し、かつその他の波長の光を透過する特性を有し、前記光源からの光を前記対物光学系側へ向けて反射するように前記対物光学系の入射瞳と共役な瞳位置近傍に斜めに配置された波長選択部材で構成されているのが好ましい。
【００２６】
また、本発明の照明光照射構造においては、前記蛍光体の像側に、励起光を透過させ、かつ前記蛍光体から発した蛍光を遮断する特性を有する蛍光カットフィルタを設けるのが好ましい。
【００２７】
また、本発明の照明光照射構造においては、前記蛍光体の内周面に、遮光部材を備えるのが好ましい。
【００２８】
また、本発明の照明光照射構造においては、前記蛍光体の内周面及び前記蛍光カットフィルタの内周面に、遮光部材を備えるのが好ましい。
【００２９】
また、本発明の照明光照射構造においては、前記蛍光体の内周面及び前記蛍光カットフィルタの開口部近傍に、遮光部材を備えるのが好ましい。
【００３０】
また、本発明の照明光照射構造においては、前記蛍光体の開口部に、円柱状の透明部材を備えるのが好ましい。
【００３１】
また、本発明の照明光照射構造においては、前記蛍光体の開口部及び前記蛍光カットフィルタの開口部に、円柱状の透明部材を備えるのが好ましい。
【００３２】
また、本発明の照明光照射構造においては、前記対物光学系の像側にリレーレンズ、イメージファイバ、セルフォックレンズのいずれかからなる像伝送光学系を有するのが好ましい。
【００３３】
また、本発明の照明光照射構造においては、前記像伝送光学系がセルフォックレンズで構成され、前記照射手段が、前記セルフォックレンズの光軸に対し傾斜した光軸を有する照明光学系からなり、前記光源から発した励起光が前記セルフォックレンズの入射面に斜めに入射するのが好ましい。
【００３４】
また、本発明の照明光照射構造においては、前記照射手段が、色ズレ作用により励起光が該励起光以外の波長の光とは異なる光路を通って前記蛍光体に照射されるように、前記蛍光体から前記光源までの間の光路上に備えられた色収差発生手段と、前記対物光学系の光軸の周囲に位置するように配置された前記光源とで構成されているのが好ましい。
【００３５】
また、本発明の照明光照射構造においては、前記色収差発生手段が、接合レンズ又は回折格子からなるのが好ましい。
【００３６】
また、本発明の照明光照射構造においては、前記対物光学系の入射瞳位置近傍に、内径が前記蛍光体の内径よりも小さく、かつ外径が前記蛍光体の外径と略同じ大きさに形成され、励起光を透過させ、かつ前記蛍光体から発した蛍光を遮断する特性を有する蛍光カットフィルタと、前記蛍光体と前記蛍光カットフィルタとの間に、前記蛍光体と略同じ大きさの内径及び外径を持つ円環状に形成された透明部材を設け、さらに、前記透明部材の内部に、物体側から順に凹レンズと凸レンズを備えるのが好ましい。
【００３７】
また、本発明の照明光照射構造においては、前記観察光学装置が、内視鏡であるのが好ましい。
【００３８】
また、本発明の照明光照射構造においては、前記光源が、ＬＤ又はＬＥＤであるのが好ましい。
【００３９】
また、本発明の照明光照射構造においては、前記像伝送光学系がセルフォックレンズで構成され、前記セルフォックレンズが、その外周部に低屈折率のクラッド層を備えるのが好ましい。
【００４０】
また、本発明による内視鏡は、上記本発明のいずれかの照明光照明構造を備えている。
【発明の効果】
【００４１】
本発明の照明光照射構造及びそれを用いた内視鏡によれば、ハレーションや観察像に非対称な歪みを生じることなく、先端部の径を極細化可能な照明光照射構造及びそれを用いた内視鏡が得られる。
【発明を実施するための最良の形態】
【００４２】
第一実施形態
図１は本発明の第一実施形態にかかる照明光照射構造を備えた内視鏡の説明図であって、(a)は内視鏡の光学構成を概略的に示す説明図、(b)は(a)の外観を示す説明図である。図２は図１(a)に示す内視鏡の照明光照射構造における先端部の変形例を拡大して示す説明図である。図３(a)は図１(a)に示す内視鏡の照明光照射構造における先端部を物体側から見た説明図、図３(b)は従来技術を用いて第一実施形態と同程度の極細径に内視鏡の先端部を構成した場合におけるその先端部を物体側から見た説明図である。図４は図１(a)に示す内視鏡の照明光照射構造における波長変換素子として用いられている円環状の蛍光体を示す説明図である。図５は図１(a)に示す内視鏡の照明光照射構造における照射手段の一例を示す説明図である。図６は図１(a)に示す内視鏡の照明光照射構造における円環状の蛍光カットフィルタの説明図であって、(a)は外観を示す斜視図、(b)は蛍光カットフィルタの透過特性を示すグラフである。図７は図１(a)に示す内視鏡の照明光照射構造における円柱状の透明部材の説明図である。図８は図１(a)に示す内視鏡の照明光照射構造において他の像伝送光学系を用いた場合の光学構成を概略的に示す説明図である。
【００４３】
第一実施形態の内視鏡は、図１(a)に示すように、対物光学系１と、像伝送光学系２と、結像光学系３，５と、照明光学系４を有している。
対物光学系１と像伝送光学系２は、細長状に形成された鏡筒先端部２０ａの内部に設けられている。
また、対物光学系１、像伝送光学系２は、共にセルフォックレンズで構成されている。図１中、６はＣＣＤ等の撮像素子、２０ｂは照明光学系４及び結像光学系３，５を内部に備える格納部、２０ｃは撮像素子６を内部に備える格納部である。
【００４４】
さらに、第一実施形態の内視鏡は、照明光照射構造として、波長変換素子としての円環状の蛍光体７（図４参照）と、励起光を射出する光源８と、照射手段９と、円環状の蛍光カットフィルタ１０と、円柱状の透明部材１１を有している。
【００４５】
蛍光体７は、内径が対物光学系１の入射瞳Ｅ１の径以上の大きさで、かつ外径が対物光学系１において最も径の大きいレンズと略同じ大きさの円環状に形成されている。そして、蛍光体７は、対物光学系１の入射瞳Ｅ１位置近傍に配置されている。
光源８は、ＬＥＤ又はＬＤを用いて、蛍光体７を励起する所定波長の光を発する。
照射手段９は、図５に示すような円環状の反射鏡で構成されている。円環状の反射鏡は、対物光学系１の入射瞳Ｅ１と共役な瞳Ｅ２位置近傍に斜めに配置されており、斜めに配置された状態において対物光学系１の入射瞳Ｅ１と共役な瞳Ｅ２の径と略同じ大きさの径を持つ開口部９ａと、開口部９ａの外周に光源８から発した光を対物光学系１側へ向けて反射する反射面９ｂを有している。
蛍光カットフィルタ１０は、蛍光体７と対物光学系１との間に配置されている。そして、図６(a)に示すような、内径が対物光学系１の入射瞳Ｅ１の径以上かつ蛍光体７の内径以下の大きさで、かつ外径が円環状の蛍光体７の外径と略同じ大きさに形成された円環状の透明部材１０ａの一方の面１０ａ１に、図６(b)に示すような、励起光を透過させかつ蛍光体７から発する蛍光を遮断する特性を有する被膜１０ｂをコーティングして構成されている。
円柱状の透明部材１１は、蛍光体７及び蛍光カットフィルタ１０の開口部に嵌合可能な大きさの径に形成されている。また、透明部材１１は、外周が遮光部材１２で覆われている。そして、透明部材１１が蛍光体７及び蛍光カットフィルタ１０の開口部に嵌合された状態において、遮光部材１２が、蛍光体７の内周面及び蛍光カットフィルタ１０の内周面を覆うようになっている。
【００４６】
このように構成された第一実施形態の照明光照射構造を備えた内視鏡では、光源８から出射した光は、照明光学系４を経て照射手段としての反射鏡９に入射する。反射鏡９に入射した光束のうち、開口部９ａに入射した光はそのまま通過する。透過した光は、図示省略した光吸収部材等を配置しておくことによって吸収することができる。一方、反射面９ｂに入射した光は、対物光学系１側へ向けて反射され、結像光学系５、像伝送光学系２を経て円環状の光束として対物光学系１に入射する。対物光学系１に入射した光は、対物光学系１の入射瞳Ｅ１位置において入射瞳Ｅ１よりも外側位置を通り、蛍光カットフィルタ１０を透過して蛍光体７に入射する。これにより、蛍光体７は励起されて蛍光を発する。そして、蛍光体７で発した蛍光のうち、物体側に向けられた蛍光が照明光として観察対象の照明に用いられる。なお、像側に向けられた蛍光は、蛍光カットフィルタ１０の皮膜１０ｂで反射されて物体側に向けられ、これも照明に用いられる。また、対物光学系１の光軸側に向けられた蛍光は、遮光部材１２で遮断される。
【００４７】
照明された観察対象からの光は、円柱状の透明部材１１に入射し、対物光学系１、像伝送光学系２、結像光学系５，３を経て撮像素子６の撮像面に結像される。
【００４８】
このように、第一実施形態の照明光照射構造では、対物光学系１における入射瞳Ｅ１位置近傍に、内径が入射瞳Ｅ１の径以上の大きさで、かつ外径が対物光学系１の最大径と略同じ大きさに形成された環状の蛍光体７を設けるとともに、照射手段９を介して蛍光体７に励起光を照射するようにして蛍光体７から発する蛍光を照明光として用いている。即ち、第一実施形態の照明光照射構造では、観察系と照明系とを対物光学系及び像伝送光学系において同軸化し、対物光学系１を備えた観察系の先端部において観察に必要のない外側の領域を照明系の光路として用いている。
このため、第一実施形態の照明光照射構造によれば、対物光学系１の周囲に照明系用の光路を設けなくて済み、特許文献１，２に記載の従来技術では不可能な細さにまで先端部を極細化した内視鏡等の光学装置が実現できる。また、対物光学系の周囲にライトガイド等の照明系光学部材を偏らせた配置としなくて済むので、一方向のみが明るく照明されることによる観察系でのハレーションの発生を防止できる。また、観察系が先端挿入部内で中心に配置されるので、観察像の非対称な歪みの発生も防止できる。
【００４９】
また、第一実施形態の照明光照射構造では、照射手段９を、斜めに配置された状態において対物光学系１の入射瞳Ｅ１と共役な瞳Ｅ２の径と略同じ大きさの径を持つ開口部９ａと、開口部９ａの外周に光源８から発した光を対物光学系１側へ向けて反射する反射面９ｂを有し、対物光学系１の入射瞳Ｅ１と共役な瞳Ｅ２位置近傍に斜めに配置された円環状の反射鏡で構成したので、光源８から発した励起光が対物光学系１の入射瞳Ｅ１に極力入り込まないようにして蛍光体７に入射させることができる。
また、観察対象からの観察光束は、対物光学系１の入射瞳Ｅ１を通過した光が、開口部９ａを通り抜けて結像光学系３を介して撮像素子６の撮像面に結像される。その他の不要光が生じたとしても反射面９ｂで反射して結像光学系３への入射を阻止できる。このため、照明系の光路を対物光学系１に設けても、観察系での観察を邪魔することなく、観察対象を照明することができる。
【００５０】
また、第一実施形態の照明光照射構造によれば、蛍光体７と対物光学系１との間に内径が対物光学系１の入射瞳Ｅ１の径以上かつ円環状の蛍光体７の内径以下の大きさで、かつ外径が蛍光体７の外径と略同じ大きさの円環状に形成された透明部材１０ａの一方の面１０ａ１に、励起光を透過させ且つ蛍光体７から発した蛍光を遮断する特性を有する被膜１０ｂをコーティングしてなる蛍光カットフィルタ１０を設けたので、蛍光体７から発する蛍光のうち、像側へ向かう蛍光を遮断でき、観察画像へのフレア等の悪影響を除去できる。また、本実施形態では反射型の蛍光カットフィルタを用いることで、像側へ向かう蛍光が反射されて照明に使用されるため効率的となる。
【００５１】
また、第一実施形態の照明光照射構造によれば、蛍光体７及び蛍光カットフィルタ１０の開口部に、円柱状の透明部材１１を備えたので、観察対象からの光を透明部材１１の先端面で受光することによって、入射面を観察対象により近づけて蛍光体７や蛍光カットフィルタ１０に観察光が遮られる度合いを少なくすることができ、しかも、円柱状の透明部材１１の内部を光線が光軸に対して平行に進むため、より広い画角で観察することができる。また、円柱状の透明部材１１の外周を遮光部材１２で覆ったので、蛍光体７から発される蛍光のうち、光軸側へ向かう蛍光を遮断でき、観察精度がより向上する。
【００５２】
なお、図１(a)に示した照明光照射構造では、円柱状の透明部材１１を備えた構成としたが、広画角化した観察を必要としない場合には、円柱状の透明部材１１を備えない構成としてもよい。その場合、例えば、図２に示すように、蛍光カットフィルタ１０の内径が蛍光体７に比べて小さい場合には、蛍光体７の内周面及び蛍光カットフィルタ１０の開口部近傍に、遮光部材１２を備えるようにする。そのようにすれば、蛍光体７から発する蛍光のうち、光軸側へ向かう蛍光を遮断できる。また、蛍光体７と蛍光カットフィルタ１０の内径が同じ大きさである場合には、蛍光体７の内周面及び蛍光カットフィルタ１０の内周面に、遮光部材１２を備えるようにする。そのようにすれば、図２の構成と同様の効果が得られる。
【００５３】
また、図１(a)に示した照明光照射構造では、蛍光カットフィルタ１０を備えた構成としたが、像側に向かう蛍光を反射鏡９の反射面でカットするだけで、不要光などによる支障が生じない場合には、蛍光カットフィルタ１０を備えない構成としてもよい。
【００５４】
また、対物光学系１はセルフォック型に限らず、図２に示すような２枚の凸レンズで構成してもよく、その他の構成でもよい。像伝送光学系２は、リレーレンズ以外に、例えば、図８に示すようなイメージガイドファイバ、イメージコンジッドファイバ等のファイバを用いて構成してもよい。
【００５５】
第二実施形態
図９は本発明の第二実施形態にかかる照明光照射構造を備えた内視鏡の要部説明図であって、照射手段の光学構成を概略的に示す説明図である。
第二実施形態の内視鏡における照明光照射構造は、照射手段９が、光源８から発した励起光を対物光学系１側へ向けて反射するように対物光学系１の入射瞳と共役な瞳Ｅ２位置近傍に斜めに配置されたハーフミラー９’で構成され、光源８から発する光を遮断する特性を有するバリアフィルタ９”が、ハーフミラー９’の像側に配置される。その他の構成は、第一実施形態の照明光照射構造と略同じである。
【００５６】
このように構成された第二実施形態の照明光照射構造では、光源８から発した光は、照明光学系４を経てハーフミラー９’に入射する。ハーフミラー９’で反射した光は結像光学系５、像伝送光学系（図９において省略）を経て対物光学系（図９において省略）に入射する。対物光学系に入射した光は、対物光学系の入射瞳（図９において省略）位置において蛍光カットフィルタ（図９において省略）を介して蛍光体（図９において省略）に入射する。これにより、蛍光体は励起されて蛍光を発する。そして、蛍光体から発した蛍光のうち、物体側に向けられた蛍光が照明光として観察対象の照明に用いられる。
なお、像側に向けられた蛍光は、蛍光カットフィルタで遮断される。また、対物光学系の光軸側に向けられた蛍光は、円柱状の透明部材（図９において省略）の外周に覆われた遮光部材（図９において省略）で遮断される。ただし、図９に示す照明光照射構造においては、ハーフミラー９’で反射した励起光は、円柱状の透明部材を通過して観察対象を照射している。
【００５７】
観察対象からの光は、円柱状の透明部材に入射し、対物光学系、像伝送光学系、結像光学系５を経て、ハーフミラー９’に入射する。ハーフミラー９’を透過した光は、結像光学系３、バリアフィルタ９”を経て撮像素子６の撮像面に結像される。このとき、バリアフィルタ９”は、観察対象からの光のうち、光源８から発して観察対象で反射された励起光を遮断し、その他の波長の光を透過する。
従って、第二実施形態の照明光照射構造によれば、既存のフィルタを用いて、第一実施形態の照明光照射構造と略同様の効果が得られる。
【００５８】
さらに、第二実施形態の照明光照射構造の変形例として、照射手段９を、光源８から発する光を反射し、かつその他の波長の光を透過する特性を有し、光源８からの光を対物光学系側へ向けて反射するように対物光学系の入射瞳と共役な瞳Ｅ２位置近傍に斜めに配置された波長選択部材（例えばバンドパスフィルタやエタロン）で構成してもよい。このように構成すれば、バリアフィルタ９”を配置するスペースを省くことができ、また照射手段９を構成する部品点数も少なくすることができる。
なお、励起光の少なくとも一部が蛍光体に入射すればよく、その場合は必ずしも照射手段９はＥ２近傍に配置しなくてもよい。また、光源８から発する光がハーフミラー９’を透過し、観察対象からの光がハーフミラー９’で反射する構成としてもよい。
【００５９】
第三実施形態
図１０は本発明の第三実施形態にかかる照明光照射構造を備えた内視鏡の説明図であって、(a)は内視鏡の光学構成を概略的に示す説明図、(b)は像側から見た像伝送光学系に対する光源の配置を示す説明図である。図１１は図１０に示す内視鏡の照明光照射構造における先端部の蛍光体に励起光束が照射する経路を部分的に拡大して示す説明図である。
第三実施形態の照明光照射構造では、像伝送光学系２は、側面が鏡面のセルフォックレンズで構成されている。また、照射手段は、照明光学系４’，４”から構成され、光源８と照射手段とからなる照明部１３が円環状に複数個配置されている。
また、各照明部１３は、像伝送光学系２の光軸に対し照明光軸が斜めに交差して照明光が入射するように配置されている。
また、各照明部１３は、照明部１３を出射して像伝送光学系２に入射した光が像伝送光学系２の側面で全反射を繰り返して蛍光体７に入射するように、配置位置が調整されている。
例えば、図１１に示すように、照明部１３から像伝送光学系２を経て対物光学系１を通したときの光束をＬａ、Ｌｂ、Ｌｃ、Ｌｄとする。ここで、光束Ｌｄは、像伝送光学系２の光軸に対して照明光軸が交差しない、即ち、同軸に照明光軸を配置した場合に対物光学系１を通る光束を示している。各照明部１３を、像伝送光学系２の光軸に対し照明光軸が斜めに交差して照明光が入射するように配置すると、対物光学系１を通る光束は、例えば光束Ｌａ，Ｌｂ，Ｌｃとして示したように対物光学系１の光軸に対して斜めに進み、対物光学系１の入射瞳Ｅ１位置において対物光学系１の光軸を外れた位置を通る。ここで、光束Ｌａ，Ｌｂは、対物光学系１の入射瞳Ｅ１位置において対物光学系１の入射瞳Ｅ１の外側を通る。
なお、像伝送光学系２の側面に、光軸側に反射するように反射膜を設けるとともに、各照明部１３は、照明部１３を出射して像伝送光学系２に入射した光が像伝送光学系２の側面の反射面で反射を繰り返して蛍光体７に入射するように、配置位置を調整してもよい。
その他の構成は第一実施形態の照明光照射構造と略同じである。
【００６０】
このように構成された第三実施形態の照明光照射構造では、通常の観察対象からの光は、対物光学系１を経た後、像伝送光学系２の側面で反射することなく通過し、結像光学系５，３を経て撮像素子６の撮像面上に結像される。また、この場合、対物光学系１を通過する光にノイズやフレアとなるような光が含まれる場合、これらの光は像伝送光学系２の側面で反射されて結像光学系に到達するが、射出瞳Ｅ１に共役な瞳Ｅ２に絞りを配置しておくことで、除去することが可能である。
【００６１】
各照明部１３において、光源８から出射した光は、照明光学系４’，４”を経て像伝送光学系２に入射する。像伝送光学系２に入射した光は、像伝送光学系２の側面で反射されて対物光学系１に入射し、対物光学系１の入射瞳Ｅ１位置において円環状の光束として円環状の蛍光カットフィルタ１０に入射する。蛍光カットフィルタ１０に入射した光は、被膜１０ｂを透過して円環状の蛍光体７に入射する。これにより、蛍光体７は励起されて蛍光を発する。そして、蛍光体７で発した蛍光のうち、物体側に向けられた蛍光が照明光として観察対象の照明に用いられる。なお、像側に向けられた蛍光は、蛍光カットフィルタ１０で遮断される。また、対物光学系１の光軸側に向けられた蛍光は、遮光部材１２で遮断される。なお、照明部１３は図１０（ｂ）のように全周に配置される必要はなく、一部分のみに配置されてもよい。セルフォックレンズの内面反射を繰り返す中で光束が円環状に広がる性質によって、一部分の照明部からの光束が円環状となって対物光学系に入射するからである。
【００６２】
従って、第三実施形態の照明光照射構造によっても、第一実施形態の照明光照射構造と略同様の効果が得られる。
【００６３】
第四実施形態
図１２は本発明の第四実施形態にかかる照明光照射構造を備えた内視鏡の説明図であって、(a)は内視鏡の光学構成を概略的に示す説明図、(b)は(a)に示した内視鏡における光源の配置を示す説明図である。
第四実施形態の照明光照射構造では、像伝送光学系２は、セルフォックレンズで構成されている。また、照射手段は、図１２(a)に示すように、対物光学系１や像伝送光学系２を構成するレンズに接合レンズ１ａ，１ｂ,２ａなどの色収差発生手段を備えるとともに、図１２(b)に示すように、光源８を、各々の光軸が対物光学系１の光軸の周囲に位置するように円環状に複数個配置することによって構成されている。
色収差発生手段としての接合レンズ１ａ，１ｂ,２ａは、色ズレ作用により光源８からの励起光を励起光以外の波長の光とは異なる光路を通って円環状の蛍光体７に照射されるように構成されている。
【００６４】
なお、色収差発生手段としての接合レンズは、色ズレ作用により励起光を励起光以外の波長の光とは異なる光路を通って蛍光体７に照射することができれば、像伝送光学系２に設けないで対物光学系１にだけ設けてもよく、あるいは、対物光学系１や像伝送光学系以外の、蛍光体７から光源８までの間の光路上の任意の位置に設けてもよい。
【００６５】
さらに、第四実施形態の照明光照射構造においては、円環状に配置された複数の光源８から発する波長の光を反射し、かつその他の波長の光を透過する特性を有する波長選択部材１４を対物光学系１の入射瞳Ｅ１と共役な瞳Ｅ２位置近傍に斜めに配置して備えている。
その他の構成は、図１(a)に示す照明光照射構造と略同じである。
【００６６】
このように構成された第四実施形態の照明光照射構造では、円環状に配置された複数の光源８から出射した光は、照明光学系４を経て波長選択部材１４で対物光学系１側に反射され、像伝送光学系２を経て円環状の光束として対物光学系１に入射する。
【００６７】
対物光学系１を出射した光は、円環状の蛍光カットフィルタ１０に入射し、被膜１０ｂを透過して円環状の蛍光体７に入射する。これにより、蛍光体７は励起されて蛍光を発する。そして、蛍光体７で発した蛍光のうち、物体側に向けられた蛍光が照明光として観察対象の照明に用いられる。なお、像側に向けられた蛍光は、蛍光カットフィルタ１０で遮断される。また、対物光学系１の光軸側に向けられた蛍光は、遮光部材１２で遮断される。
【００６８】
観察対象からの光は、円柱状の透明部材１１に入射し、対物光学系１、像伝送光学系２を経て結像光学系５に入射し、観察に用いる所定の波長として光源８から発する波長以外の光が波長選択部材１４を透過し、結像光学系３を介して撮像素子６の撮像面に結像される。
【００６９】
このとき、像伝送光学系２に設けられた接合レンズ２ａや対物光学系に設けられた接合レンズ１ｂ，１ａを通ることにより生ずる色ズレ作用により、光源８から出射した光は、それ以外の例えば通常の観察に用いる波長の光がこれらの接合レンズを通過する光路とは異なる光路を通る。
このため、光源８から出射した光の光路を他の波長の光の光路と大きく分離されて、入射瞳Ｅ１の外周に位置する蛍光体７を照射するように、接合レンズの色ズレ作用を大きくすることで、観察系の光路と照明系の光路とを大きく異ならせることができ、不要光の混入のない良好な観察像が得られる。
その他の作用効果は、第一実施形態の照明光照射構造と略同じである。
【００７０】
なお、図１２に示した構成では、波長選択部材１４を設けて、光源８から発する光が結像光学系３側に入射しないようにしたが、波長選択部材１４の代わりにハーフミラーを設けても良い。
ハーフミラーを設けた構成としても、接合レンズの色ズレ作用を大きくとって、光源８から発する光が観察系の光路内に入り込まない程度に観察系の光路と照明系の光路とを大きく異ならせれば、波長選択部材１４を設けた構成と同様に、不要光の混入のない良好な観察像が得られる。
【００７１】
また、図１２に示した構成では、色収差発生手段を、接合レンズを用いて構成したが、色ズレ作用により励起光を励起光以外の波長の光とは異なる光路を通って蛍光体７に照射することができれば、例えば、回折格子を用いてもよい。
【００７２】
第五実施形態
図１３は本発明の第五実施形態にかかる照明光照射構造を備えた内視鏡の説明図であって、(a)は内視鏡の光学構成の要部を概略的に示す説明図、(b)は(a)の部分拡大図である。
第五実施形態の照明光照射構造では、対物光学系１の入射瞳Ｅ１位置近傍に、内径が円環状の蛍光体７の内径よりも小さく、かつ外径が蛍光体７の外径と略同じ大きさに形成され、励起光を透過させ、かつ蛍光体７で励起された蛍光を遮断する特性を有する円環状の蛍光カットフィルタ１０と、蛍光体７と蛍光カットフィルタ１０との間に、蛍光体７と略同じ大きさの内径及び外径を持つ円環状に形成された透明部材１５を設け、さらに、透明部材１５の内部に、物体側から順に凹レンズ１６と凸レンズ１７を備えている。
その他の構成は、第一実施形態の照明光照射構造と略同じである。なお、その他の構成は、第二〜第四実施形態のいずれかの照明光照射構造と略同じにしてもよい。
【００７３】
このように構成された第五実施形態の照明光照射構造によれば、円環状の透明部材１５を設けたので、内視鏡先端部の光路長を物体側に伸ばすことができ、その伸ばした内視鏡先端部の内部に、物体側から凹凸の順で屈折力を持つレンズ１６，１７を備えたので、画角をより広くとることができる。
その他の作用効果は、第一実施形態の照明光照射構造と略同じである。
【００７４】
第六実施形態
図１４は本発明の第六実施形態にかかる照明光照射構造を備えた内視鏡の要部説明図であって、照射手段の光学構成を概略的に示す説明図である。
本実施形態は、結像光学系５を第一実施形態に比べて大径にし、照明光学系４の光軸を、像伝送光学系２の光軸に平行に配置したものである。本実施形態は上記のように構成したので、照明手段としてミラーやハーフミラーを用いる必要がない。
なお、照明光学系４及び光源８は、対物光学系（図示省略）の光軸に対して環状に複数個配置するとよい。
【００７５】
上記各実施形態では、いずれも蛍光を照明光として用いる内視鏡における照明光照射構造を示した。
しかるに、上記第一実施形態、第三〜第六実施形態の照明光照射構造に示した、対物光学系の入射瞳位置近傍に配置され、内径が該対物光学系の入射瞳の径以上の大きさで、かつ外径が該対物光学系において最も径の大きいレンズと略同じ大きさの円環状の蛍光体に対し、光源から発した光を対物光学系を経て照射させる照明手段の構成は、可視光を照明光として用いる内視鏡においても応用できる。
そこで、可視光を照明光として用いる内視鏡において上記第一実施形態、第三〜第六実施形態の照明光照射構造を応用した実施形態を説明する。
【００７６】
第七実施形態
図１５は本発明の第七実施形態にかかる照明光照射構造を備えた内視鏡の光学構成を概略的に示す説明図、図１６は図１５に示す内視鏡の照明光照射構造における先端部の変形例を拡大して示す説明図である。図１７は図１５に示す内視鏡の照明光照射構造において他の像伝送光学系を用いた場合の光学構成を概略的に示す説明図である。なお、第一実施形態の内視鏡と同じ部材については同じ符号を付し、詳細な説明は省略する。
【００７７】
第七実施形態の内視鏡は、照明光照射構造として、散乱体７'と、可視光を射出する光源８’と、照射手段９と、円柱状の透明部材１１を有している。即ち、第七実施形態の内視鏡では、図１に示した第一実施形態の内視鏡の照明光照射構造における円環状の蛍光体７及び円環状の蛍光カットフィルタ１０の代わりに円環状の散乱体７'を備えるとともに、励起光を射出する光源８の代わりに、可視光を射出する光源８’を備えている。
【００７８】
散乱体７’は、内径が対物光学系１の入射瞳Ｅ１の径以上の大きさで、かつ外径が対物光学系１において最も径の大きいレンズと略同じ大きさの円環状に形成されている。そして、散乱体７’は、対物光学系１の入射瞳Ｅ１位置近傍に配置されている。
光源８’は、可視光ＬＥＤで構成され、可視波長の光を発する。
照射手段９は、図５に示した第一実施形態の内視鏡の照明光照射構造における照射手段９と同様に構成されている。そして、照射手段９は、光源８’から発した光を、対物光学系１を経て、対物光学系１の入射瞳Ｅ１位置近傍において、内径が対物光学系１の入射瞳Ｅ１の径以上の大きさで、かつ外径が対物光学系１において最も径の大きいレンズと略同じ大きさの円環状の領域（散乱体７’が配置されている領域）に照射させるようになっている。
その他の構成は、第一実施形態の内視鏡と略同じである。
【００７９】
このように構成された第七実施形態の照明光照射構造を備えた内視鏡では、光源８’から出射した可視波長の光は、照明光学系４を経て照射手段としての反射鏡９に入射する。反射鏡９に入射した光束のうち、開口部９ａに入射した光はそのまま通過する。透過した光は、図示省略した光吸収部材等を配置しておくことによって吸収することができる。一方、反射面９ｂに入射した光は、対物光学系１側へ向けて反射され、結像光学系５、像伝送光学系２を経て円環状の光束として対物光学系１に入射する。対物光学系１に入射した光は、対物光学系１の入射瞳Ｅ１位置において入射瞳Ｅ１よりも外側位置を通り、散乱体７’に入射する。散乱体７’は、入射した光を散乱して出射する。そして、散乱体７’から出射した散乱光のうち、物体側に向けられた光が照明光として観察対象の照明に用いられる。
【００８０】
照明された観察対象からの光は、円柱状の透明部材１１に入射し、対物光学系１、像伝送光学系２、結像光学系５，３を経て撮像素子６の撮像面に結像される。
【００８１】
このように、第七実施形態の照明光照射構造では、対物光学系１における入射瞳Ｅ１位置近傍に、内径が入射瞳Ｅ１の径以上の大きさで、かつ外径が対物光学系１の最大径と略同じ大きさに形成された円環状の散乱体７’を設け、照射手段９を介して散乱体７’に可視波長の光を照射するようにして散乱体７’から出射する可視波長の散乱光を照明光として用いている。即ち、第七実施形態の照明光照射構造においても、第一実施形態の照明光照射構造と同様、観察系と照明系とを対物光学系及び像伝送光学系において同軸化し、対物光学系１を備えた観察系の先端部において観察に必要のない外側の領域を照明系の光路として用いている。
このため、第七実施形態の照明光照射構造によれば、第一実施形態の照明光照射構造と同様、対物光学系１の周囲に照明系用の光路を設けなくて済み、特許文献１，２に記載の従来技術では不可能な細さにまで先端部を極細化した内視鏡等の光学装置が実現できる。また、対物光学系の周囲にライトガイド等の照明系光学部材を偏らせた配置としなくて済むので、一方向のみが明るく照明されることによる観察系でのハレーションの発生を防止できる。また、観察系が先端挿入部内で中心に配置されるので、観察像の非対称な歪みの発生も防止できる。
【００８２】
また、第七実施形態の照明光照射構造では、照射手段９を、斜めに配置された状態において対物光学系１の入射瞳Ｅ１と共役な瞳Ｅ２の径と略同じ大きさの径を持つ開口部９ａと、開口部９ａの外周に光源８’から発した光を対物光学系１側へ向けて反射する反射面９ｂを有し、対物光学系１の入射瞳Ｅ１と共役な瞳Ｅ２位置近傍に斜めに配置された円環状の反射鏡で構成したので、光源８’から発した光が対物光学系１の入射瞳Ｅ１に極力入り込まないようにして散乱体７’に入射させることができる。
また、観察対象からの観察光束は、対物光学系１の入射瞳Ｅ１を通過した光が、開口部９ａを通り抜けて結像光学系３を介して撮像素子６の撮像面に結像される。その他の不要光が生じたとしても反射面９ｂで反射して結像光学系３への入射を阻止できる。このため、照明系の光路を対物光学系１に設けても、観察系での観察を邪魔することなく、観察対象を照明することができる。
【００８３】
また、第七実施形態の照明光照射構造によれば、散乱体７’の開口部に、円柱状の透明部材１１を備えたので、観察対象からの光を透明部材１１の先端面で受光することによって、入射面を観察対象により近づけて散乱体７’に観察光が遮られる度合いを少なくすることができ、しかも、円柱状の透明部材１１の内部を光線が光軸に対して平行に進むため、より広い画角で観察することができる。また、円柱状の透明部材１１の外周を遮光部材１２で覆ったので、散乱体７’から出射する光のうち、光軸側へ向かう光を遮断でき、観察精度がより向上する。
【００８４】
なお、図１５に示した照明光照射構造では、円柱状の透明部材１１を備えた構成としたが、広画角化した観察を必要としない場合には、円柱状の透明部材１１を備えない構成としてもよい。
【００８５】
また、対物光学系１はセルフォック型に限らず、図１６に示すような２枚の凸レンズで構成してもよく、その他の構成でもよい。像伝送光学系２は、リレーレンズ以外に、例えば、図１７に示すようなイメージガイドファイバ、イメージコンジッドファイバ等のファイバを用いて構成してもよい。
【００８６】
このように、第七実施形態の照明光照射構造は、可視光を照明光として用いる内視鏡を前提として構成したものであり、この点で蛍光を照明光として用いる内視鏡を前提として構成された第一実施形態の照明光照射構造と異なる。
しかし、対物光学系の入射瞳位置近傍における、内径が該対物光学系の入射瞳の径以上の大きさで、かつ外径が該対物光学系において最も径の大きいレンズと略同じ大きさの円環状の領域に、光源から発した光を対物光学系を経て照射させるように、照明手段を構成しており、本発明の課題を解決するための基本的な着想、及び作用効果は第一実施形態の照明光照射構造と略同じである。
なお、可視光を照明光として用いる内視鏡を前提とする第七実施形態の照明光照射構造では、蛍光を照明光として用いる内視鏡を前提とする第一実施形態の照明光照射構造に比べて、より明るい観察画像が得られる。一方、第一実施形態の照明光照射構造のように蛍光を照明光として用いる内視鏡を前提とした本発明の照明光照射構造においては、観察対象を照射する照明波長と観察対象を観察する観察波長とが異なるので、照明波長と観察波長とで同じ可視波長を用いる第七実施形態の照明光照射構造に比べて、観察系でのハレーションの発生をより強く防止できる。
【００８７】
第八実施形態
図１８は本発明の第八実施形態にかかる照明光照射構造を備えた内視鏡の説明図であって、(a)は内視鏡の光学構成を概略的に示す説明図、(b)は像側から見た像伝送光学系に対する光源の配置を示す説明図である。図１９は図１８に示す内視鏡の照明光照射構造における先端部の散乱体に光源からの可視波長の光束が照射する経路を部分的に拡大して示す説明図である。
第八実施形態の内視鏡は、図１０に示した第三実施形態の内視鏡の照明光照射構造における円環状の蛍光体７及び円環状の蛍光カットフィルタ１０の代わりに円環状の散乱体７'を備えるとともに、励起光を射出する光源８の代わりに、可視光を射出する光源８’を備えている。
散乱体７’は、内径が対物光学系１の入射瞳Ｅ１の径以上の大きさで、かつ外径が対物光学系１において最も径の大きいレンズと略同じ大きさの円環状に形成されている。そして、散乱体７’は、対物光学系１の入射瞳Ｅ１位置近傍に配置されている。
光源８’は、可視光ＬＥＤで構成され、可視波長の光を発する。
【００８８】
そして、第八実施形態の照明光照射構造では、像伝送光学系２は、側面が鏡面のセルフォックレンズで構成されている。また、照射手段は、照明光学系４’，４”から構成され、光源８’と照射手段とからなる照明部１３が円環状に複数個配置されている。
また、各照明部１３は、像伝送光学系２の光軸に対し照明光軸が斜めに交差して照明光が入射するように配置されている。
また、各照明部１３は、照明部１３を出射して像伝送光学系２に入射した光が像伝送光学系２の側面で全反射を繰り返して散乱体７’に入射するように、配置位置が調整されている。
例えば、図１９に示すように、照明部１３から像伝送光学系２を経て対物光学系１を通したときの光束をＬａ、Ｌｂ、Ｌｃ、Ｌｄとする。ここで、光束Ｌｄは、像伝送光学系２の光軸に対して照明光軸が交差しない、即ち、同軸に照明光軸を配置した場合に対物光学系１を通る光束を示している。各照明部１３を、像伝送光学系２の光軸に対し照明光軸が斜めに交差して照明光が入射するように配置すると、対物光学系１を通る光束は、例えば光束Ｌａ，Ｌｂ，Ｌｃとして示したように対物光学系１の光軸に対して斜めに進み、対物光学系１の入射瞳Ｅ１位置において対物光学系１の光軸を外れた位置を通る。ここで、光束Ｌａ，Ｌｂは、対物光学系１の入射瞳Ｅ１位置において対物光学系１の入射瞳Ｅ１の外側を通る。
なお、像伝送光学系２の側面に、光軸側に反射するように反射膜を設けるとともに、各照明部１３は、照明部１３を出射して像伝送光学系２に入射した光が像伝送光学系２の側面の反射面で反射を繰り返して散乱体７’に入射するように、配置位置を調整してもよい。
その他の構成は第一実施形態の照明光照射構造と略同じである。
【００８９】
このように構成された第八実施形態の照明光照射構造では、通常の観察対象からの光は、対物光学系１を経た後、像伝送光学系２の側面で反射することなく通過し、結像光学系５，３を経て撮像素子６の撮像面上に結像される。また、この場合、対物光学系１を通過する光にノイズやフレアとなるような光が含まれる場合、これらの光は像伝送光学系２の側面で反射されて結像光学系に到達するが、射出瞳Ｅ１に共役な瞳Ｅ２に絞りを配置しておくことで、除去することが可能である。
【００９０】
各照明部１３において、光源８’から出射した光は、照明光学系４’，４”を経て像伝送光学系２に入射する。像伝送光学系２に入射した光は、像伝送光学系２の側面で反射されて対物光学系１に入射し、対物光学系１の入射瞳Ｅ１位置において円環状の光束として円環状の散乱体７’に入射する。これにより、入射した光は、散乱体７’で散乱されて散乱光を発する。そして、散乱体７’で発した散乱光のうち、物体側に向けられた散乱光が照明光として観察対象の照明に用いられる。また、対物光学系１の光軸側に向けられた散乱光は、遮光部材１２で遮断される。なお、照明部１３は図１８(b)のように全周に配置される必要はなく、一部分のみに配置されてもよい。セルフォックレンズの内面反射を繰り返す中で光束が円環状に広がる性質によって、一部分の照明部からの光束が円環状となって対物光学系に入射するからである。
【００９１】
従って、第八実施形態の照明光照射構造によっても、第七実施形態の照明光照射構造と略同様の効果が得られる。
【００９２】
第九実施形態
図２０は本発明の第九実施形態にかかる照明光照射構造を備えた内視鏡の説明図であって、(a)は内視鏡の光学構成の要部を概略的に示す説明図、(b)は(a)の部分拡大図である。
第九実施形態の内視鏡は、図１３に示した第五実施形態の内視鏡の照明光照射構造における円環状の蛍光体７及び円環状の蛍光カットフィルタ１０の代わりに円環状の散乱体７'を備えるとともに、励起光を射出する光源８の代わりに、可視光を射出する光源８’を備えている。
散乱体７’は、内径が対物光学系１の入射瞳Ｅ１の径以上の大きさで、かつ外径が対物光学系１において最も径の大きいレンズと略同じ大きさの円環状に形成されている。そして、散乱体７’は、対物光学系１の入射瞳Ｅ１位置近傍に配置されている。
光源８’は、可視光ＬＥＤで構成され、可視波長の光を発する。
【００９３】
そして、第九実施形態の照明光照射構造では、対物光学系１の入射瞳Ｅ１位置近傍に、散乱体７’と略同じ大きさの内径及び外径を持つ円環状に形成された透明部材１５を設け、さらに、透明部材１５の内部に、物体側から順に凹レンズ１６と凸レンズ１７を備えている。
その他の構成は、第一実施形態の照明光照射構造と略同じである。なお、その他の構成は、第二〜第四実施形態のいずれかの照明光照射構造と略同じにしてもよい。
【００９４】
このように構成された第九実施形態の照明光照射構造によれば、円環状の透明部材１５を設けたので、内視鏡先端部の光路長を物体側に伸ばすことができ、その伸ばした内視鏡先端部の内部に、物体側から凹凸の順で屈折力を持つレンズ１６，１７を備えたので、画角をより広くとることができる。
その他の作用効果は、第七実施形態の照明光照射構造と略同じである。
【００９５】
第十実施形態
図２１は本発明の第十実施形態にかかる照明光照射構造を備えた内視鏡の要部説明図であって、照射手段の光学構成を概略的に示す説明図である。
第十実施形態の照明光照射構造は、結像光学系５を第七実施形態に比べて大径にし、照明光学系４の光軸を、像伝送光学系２の光軸に平行に配置したものである。照明光学系４及び光源８’は、対物光学系（図示省略）の光軸に対して環状に複数個配置されている。その他の構成は第七実施形態の照明光照射構造と略同じである。
本実施形態は上記のように構成したので、照明手段としてミラーやハーフミラーを用いる必要がない。
【００９６】
第十一実施形態
図２２は本発明の第十一実施形態にかかる照明光照射構造を備えた内視鏡の要部説明図であって、照射手段の光学構成を概略的に示す説明図である。
第十一実施形態の照明光照射構造は、結像光学系５の像側に反射鏡９1’を備えている。反射鏡９1’は、対物光学系の入射瞳と共役な瞳位置Ｅ２近傍に斜めに配置され、斜めに配置された状態において対物光学系の入射瞳と共役な瞳の径と略同じ大きさの径を持つ反射面９1ａ’を有している。また、反射鏡９1’と結像レンズ３との間には反射面９2ａ’を有する反射鏡９2’を備えている。結像レンズ３及び撮像素子６は、反射鏡９1’，９2’を介して曲げられた光路上に配置されている。
また、第十一実施形態の照明光照射構造は、照射手段として、光源８’と反射鏡９1’との間に反射部材９”’を備えている。
反射部材９”’は、反射鏡９1’側端部が開口し、側面が反射面９ａ”’で構成され、光源８’側端部に光源配置穴９ｂ”’を備えた、円錐形状の筒状部材で構成されている。
反射面９ａ”’は、光源８’から出射した光を、光軸に対し平行な方向に反射し、反射された光が反射鏡９1’の外周を通るように構成されている。
光源配置穴９ｂ”’は、光源８’の射出部を挿入可能な大きさに形成されている。
その他の構成は、第七実施形態の照明光照射構造と略同じである。
【００９７】
このように構成された第十一実施形態の照明光照射構造では、光源８’から出射し反射部材９”’の反射面９ａ”’に入射する光は、反射面９ａ”’を介して光軸に対し平行な方向に反射される。反射された光は、円環状の平行光束となって反射鏡９1’の外周を通り、結像光学系５を経て像伝送光学系２に入射する。なお、光源８’から出射し反射部材９”’の反射面９ａ”’で反射されずに光軸近傍を進む光は、反射鏡９1’により像伝送光学系２方向への進行を遮断される。
像伝送光学系２に入射した光は、対物光学系（図示省略）、散乱板（図示省略）を経て観察対象の照明に用いられる。
観察対象からの光は透明部材（図示省略）に入射し、対物レンズ（図示省略）、像伝送光学系２、結像光学系５、反射鏡９1’，９2’、結像光学系３を経て撮像素子６の撮像面に結像される。
【００９８】
第十一実施形態の照明光照射構造によっても、第七実施形態の照明光照射構造と同様の効果が得られる。
なお、第十一実施形態の照明光照射構造における可視光を射出する光源８’の代わりに、励起光を射出する光源８を設けるとともに、図示省略した透明部材の代わりに円環状の蛍光体及び円環状の蛍光カットフィルタを設けて、可視光を照明光として用いる内視鏡における照明光照射構造としてもよい。その場合には、第一実施形態の照明光照射構造と同様の効果が得られる。
【００９９】
第十二実施形態
図２３は本発明の第十二実施形態にかかる照明光照射構造を備えた内視鏡の要部説明図であって、照射手段の光学構成を概略的に示す説明図である。
第十二実施形態の照明光照射構造は、第十一実施形態の照明光照射構造の変形例であり、第十一実施形態における反射部材９”’の代わりに、光源８’及び照明光学系４を対物光学系（図示省略）の光軸に対して環状に複数組配置し、各光源８’から発した夫々の光が、対物光学系の入射瞳と共役な瞳の外周を通るように構成されている。夫々の光源８’及び照明光学系４の光軸は、対物光学系（図示省略）の光軸に対して平行に配置されている。
その他の構成は、第十一実施形態の照明光照射構造と略同じである。
【０１００】
このように構成された第十二実施形態の照明光照射構造によれば、第十一実施形態の内視鏡照射構造と同様な効果が得られる。
なお、第十二実施形態の照明光照射構造における可視光を射出する光源８’の代わりに、励起光を射出する光源８を設けるとともに、図示省略した透明部材の代わりに円環状の蛍光体及び円環状の蛍光カットフィルタを設けて、可視光を照明光として用いる内視鏡における照明光照射構造としてもよい。その場合には、第一実施形態の照明光照射構造と同様の効果が得られる。
【０１０１】
第十三実施形態
図２４は本発明の第十三実施形態にかかる照明光照射構造を備えた内視鏡の要部説明図であって、対物光学系及び像伝送光学系の光学構成を概略的に示す説明図である。
第十三実施形態の照明光照射構造は、第八実施形態の照明光照射構造の変形例であって、像伝送光学系２を構成するセルフォックレンズの外周部に低屈折率のクラッド層２１を備えている。
また、第十三実施形態の照明光照射構造では、対物光学系１における最も物体側の面には図１８に示した円環状の散乱体７’、円柱状の透明部材１１、遮光部材１２等を備えない構成となっている。即ち、第十三実施形態の照明光照射構造では、図示省略した可視光を射出する光源からの光は、像伝送光光学系２を介して対物光学系１の最も物体側の面における外側環状領域から出射し、照明に用いられる。
その他の構成は、第八実施形態の照明光照射構造と略同じである、
【０１０２】
このように構成された第十三実施形態の照明光照射構造によれば、像伝送光学系２を構成するセルフォックレンズの外周部に低屈折率のクラッド層２１を備えたので、セルフォックレンズに入射した光が低屈折率のクラッド層２１で全反射し易くなり、よりフレアのない明るい光を供給し易くなる。また、セルフォックレンズの外周部にクラッド層２１を備えたことにより、セルフォックレンズの強度が強くなり折れ難くなる。
その他の効果は、第八実施形態の照明光照射構造と略同じである。
なお、第十三実施形態の照明光照射構造における可視光を射出する光源８’の代わりに、励起光を射出する光源８を設けるとともに、図示省略した透明部材の代わりに円環状の蛍光体及び円環状の蛍光カットフィルタを設けて、可視光を照明光として用いる内視鏡における照明光照射構造としてもよい。その場合には、第三実施形態の照明光照射構造と同様の効果が得られる。
【０１０３】
その他、上記各実施形態では、照明光照射構造を像伝送光学系を備えた内視鏡に用いたが、例えば、先端に対物光学系とＣＣＤ等の撮像素子を内蔵したビデオ内視鏡など、像伝送光学系を備えない内視鏡においても、本発明の照明光照射構造は適用可能である。
また、上記各実施形態では、照明光照射構造を内視鏡に備えたが、本発明の照明光照射構造は、内視鏡に限定されるものではなく、観察系の先端部が極細に形成され、かつ照明系の出射端が観察系の先端部近傍に配置される光学装置であれば、どのような装置にも適用可能である。
【図面の簡単な説明】
【０１０４】
【図１】本発明の第一実施形態にかかる照明光照射構造を備えた内視鏡の説明図であって、(a)は内視鏡の光学構成を概略的に示す説明図、(b)は(a)の外観を示す説明図である。
【図２】図１(a)に示す内視鏡の照明光照射構造における先端部の変形例を拡大して示す説明図である。
【図３】(a)は図１(a)に示す内視鏡の照明光照射構造における先端部を物体側から見た説明図、(b)は従来技術を用いて第一実施形態と同程度の極細径に内視鏡の先端部を構成した場合におけるその先端部を物体側から見た説明図である。
【図４】図１(a)に示す内視鏡の照明光照射構造における波長変換素子として用いられている円環状の蛍光体を示す説明図である。
【図５】図１(a)に示す内視鏡の照明光照射構造における照射手段の一例を示す説明図である。
【図６】図１(a)に示す内視鏡の照明光照射構造における蛍光カットフィルタの説明図であって、(a)は外観を示す斜視図、(b)は蛍光カットフィルタの透過特性を示すグラフである。
【図７】図１(a)に示す内視鏡の照明光照射構造における円柱状の透明部材の説明図である。
【図８】図１(a)に示す内視鏡の照明光照射構造において他の像伝送光学系を用いた場合の光学構成を概略的に示す説明図である。
【図９】本発明の第二実施形態にかかる照明光照射構造を備えた内視鏡の要部説明図であって、照射手段の光学構成を概略的に示す説明図である。
【図１０】本発明の第三実施形態にかかる照明光照射構造を備えた内視鏡の説明図であって、(a)は内視鏡の光学構成を概略的に示す説明図、(b)は像側から見た像伝送光学系に対する光源の配置を示す説明図である。
【図１１】図１０に示す内視鏡の照明光照射構造における先端部の蛍光体に励起光束が照射する経路を部分的に拡大して示す説明図である。
【図１２】本発明の第四実施形態にかかる照明光照射構造を備えた内視鏡の説明図であって、(a)は内視鏡の光学構成を概略的に示す説明図、(b)は(a)に示した内視鏡における光源の配置を示す説明図である。
【図１３】本発明の第五実施形態にかかる照明光照射構造を備えた内視鏡の説明図であって、(a)は内視鏡の光学構成の要部を概略的に示す説明図、(b)は(a)の部分拡大図である。
【図１４】本発明の第六実施形態にかかる照明光照射構造を備えた内視鏡の要部説明図であって、照射手段の光学構成を概略的に示す説明図である。
【図１５】本発明の第七実施形態にかかる照明光照射構造を備えた内視鏡の光学構成を概略的に示す説明図である。
【図１６】図１５に示す内視鏡の照明光照射構造における先端部の変形例を拡大して示す説明図である。
【図１７】図１５に示す内視鏡の照明光照射構造において他の像伝送光学系を用いた場合の光学構成を概略的に示す説明図である。
【図１８】本発明の第八実施形態にかかる照明光照射構造を備えた内視鏡の説明図であって、(a)は内視鏡の光学構成を概略的に示す説明図、(b)は像側から見た像伝送光学系に対する光源の配置を示す説明図である。
【図１９】図１８に示す内視鏡の照明光照射構造における先端部の散乱体に光源からの可視波長の光束が照射する経路を部分的に拡大して示す説明図である。
【図２０】本発明の第九実施形態にかかる照明光照射構造を備えた内視鏡の説明図であって、(a)は内視鏡の光学構成の要部を概略的に示す説明図、(b)は(a)の部分拡大図である。
【図２１】本発明の第十実施形態にかかる照明光照射構造を備えた内視鏡の要部説明図であって、照射手段の光学構成を概略的に示す説明図である。
【図２２】本発明の第十一実施形態にかかる照明光照射構造を備えた内視鏡の要部説明図であって、照射手段の光学構成を概略的に示す説明図である。
【図２３】本発明の第十二実施形態にかかる照明光照射構造を備えた内視鏡の要部説明図であって、照射手段の光学構成を概略的に示す説明図である。
【図２４】本発明の第十三実施形態にかかる照明光照射構造を備えた内視鏡の要部説明図であって、対物光学系及び像伝送光学系の光学構成を概略的に示す説明図である。
【図２５】従来の内視鏡における照明手段の一構成例を示す説明図である。
【図２６】従来の内視鏡における照明手段の他の構成例を示す説明図である。
【符号の説明】
【０１０５】
１                  対物光学系
１ａ，１ｂ，２ａ    接合レンズ
２                  像伝送光学系
３，５              結像光学系
４，４’，４”      照明光学系
６                  撮像素子
７                  蛍光体
７’                散乱体
８，８’            光源
９                  照射手段（反射鏡）
９ａ                開口部
９ｂ                反射面
９’                ハーフミラー
９”                バリアフィルタ
９”’              反射部材
９ａ”’            反射面
９ｂ”’            光源配置穴
９1’，９2’         反射鏡
９1ａ’，９2ａ’     反射面
１０                蛍光カットフィルタ
１０ａ              透明部材
１０ａ１            透明部材の一方の面
１０ｂ              被膜
１１                透明部材
１２                遮光部材
１３                照明部
１４                波長選択部材
１５                透明部材
１６                凹レンズ
１７                凸レンズ
２０ａ              鏡筒先端部
２０ｂ，２０ｃ      格納部
２１                低屈折率のクラッド層
５０，６０          内視鏡の先端
５１，６１          観察系
５２ａ，５２ｂ      ＬＥＤ
６２                ライトガイド
Ｅ１                対物光学系１の入射瞳
Ｅ２                入射瞳Ｅ１と共役な瞳
【図１】
2008289863.tif 000003
【図２】
2008289863.tif 000004
【図３】
2008289863.tif 000005
【図４】
2008289863.tif 000006
【図５】
2008289863.tif 000007
【図６】
2008289863.tif 000008
【図７】
2008289863.tif 000009
【図８】
2008289863.tif 000010
【図９】
2008289863.tif 000011
【図１０】
2008289863.tif 000012
【図１１】
2008289863.tif 000013
【図１２】
2008289863.tif 000014
【図１３】
2008289863.tif 000015
【図１４】
2008289863.tif 000016
【図１５】
2008289863.tif 000017
【図１６】
2008289863.tif 000018
【図１７】
2008289863.tif 000019
【図１８】
2008289863.tif 000020
【図１９】
2008289863.tif 000021
【図２０】
2008289863.tif 000022
【図２１】
2008289863.tif 000023
【図２２】
2008289863.tif 000024
【図２３】
2008289863.tif 000025
【図２４】
2008289863.tif 000026
【図２５】
2008289863.tif 000027
【図２６】
2008289863.tif 000028